(57)【特許請求の範囲】
【請求項１】
本露光操作において撮像された画像を記憶媒体に記憶する撮像装置において、
撮像画像の複数のＡＦ領域において焦点状態を検出し、少なくとも１のＡＦ領域において焦点が合うよう制御する焦点調節手段と、
撮像された画像を表示するよう制御する表示制御手段と、
ユーザーが操作可能な操作手段とを有し、
前記表示制御手段は、前記本露光後、撮像画像に対応する第１の画像のほか、当該撮像画像において前記複数のＡＦ領域のうち焦点が合うよう制御されたＡＦ領域に対応する第２の画像を所定領域に表示するよう制御するとともに、当該第１の画像および第２の画像が表示されている状態での前記操作手段の操作に応じて、前記所定領域に表示する画像を検出された顔の位置の画像に切り換えるよう制御することを特徴とする撮像装置。
【請求項２】
前記撮像画像と前記所定領域に表示する画像とを一部重ねて表示することを特徴とする請求項１に記載の撮像装置。
【請求項３】
前記撮像画像と前記所定領域に表示する画像とを重ならないよう表示することを特徴とする請求項１に記載の撮像装置。
【請求項４】
前記撮像画像の一部を当該撮像画像の画素数を変えずに、前記所定領域に表示する画像として表示することを特徴とする請求項１乃至３のいずれか１項に記載の撮像装置。
【請求項５】
前記所定領域に表示する画像が前記撮像画像のどの位置に対応するかについて撮影者が視認できる指標を、当該撮像画像に重畳して表示することを特徴とする請求項１乃至４のいずれか１項に記載の撮像装置。
【請求項６】
前記複数のＡＦ領域のいずれにおいても焦点を調節できない場合は、予め決められた領域を前記表示制御手段により表示するよう制御することを特徴とする請求項１乃至５のいずれか１項に記載の撮像装置。
【請求項７】
撮像画像の複数のＡＦ領域において焦点状態を検出し、少なくとも１のＡＦ領域において焦点が合うよう制御する焦点調節手段と、撮像された画像を表示するよう制御する表示制御手段と、ユーザーが操作可能な操作手段とを有し、本露光操作において撮像された画像を記憶媒体に記憶する撮像装置の制御方法において、
前記本露光後、撮像画像に対応する第１の画像のほか、当該撮像画像において前記複数のＡＦ領域のうち焦点が合うよう制御されたＡＦ領域に対応する第２の画像を所定領域に表示するよう制御するとともに、当該第１の画像および第２の画像が表示されている状態での前記操作手段の操作に応じて、前記所定領域に表示する画像を検出された顔の位置の画像に切り換えるよう制御することを特徴とする制御方法。
【発明の詳細な説明】
【技術分野】
【０００１】
本発明は、撮像した画像の画像表示技術に関するものである。
【背景技術】
【０００２】
従来から電子スチルカメラなどの撮像装置において、撮影した画像を確認するため、撮影後に背面モニターなどの画像表示部に撮影画像を自動的に表示するいわゆるレックレビューが行われている。これは例えば撮影後に一定時間画像を背面モニターに表示するようになっていたり、レリーズスイッチを再度押すまで画像を表示しつづけるようになっていたりする。また、撮影した画像を拡大して表示することもできる（特許文献１、２）。これは主にフォーカスの確認のために行われることが多い。例えば、特許文献３に開示されたカメラは、撮影前に、得られた画像を第１の解像度で表示する第１モードと、前記画像内の特定領域の画像信号を前記第１モードより高精細な第２の解像度で表示する第２モードとが切り替え可能である。ここで、特許文献３に開示の場合、最初に表示する特定領域は撮影画像の中心を含む領域であったり、ユーザーの操作により手動で移動可能であったりする。また、特許文献３には、撮影後に、撮影画像の中央の画像が拡大したり、最後に移動された特定領域の画像が拡大したりすることが記載されている。
【先行技術文献】
【特許文献】
【０００３】
【特許文献１】特開平１１−１９６３０１号公報
【特許文献２】特開２００３−１２５２６９号公報
【特許文献３】特開２００１−２８６９９号公報
【発明の概要】
【発明が解決しようとする課題】
【０００４】
ここで、撮影後、ユーザーがフォーカス状態を確認したい領域１３０２が、例えば図１３のように表示画面１３０１上向かって左上の領域であったとする。
【０００５】
このような場合に、上述した特許文献３に開示の技術に拠れば、ユーザーが確認を所望する領域とは無関係な撮影画像の中央が拡大される。したがって、ユーザーがフォーカス状態の確認を所望する領域ではない領域が拡大されてしまい不都合である。また、撮影前に撮影画像の中央以外の位置に特定領域を移動した場合であっても、その移動した位置はユーザーがフォーカスの状態の確認を所望する領域ではない場合がある。例えば、撮影前の特定領域の移動が、フォーカスを合わせるための特定領域の移動ではなく、別の意図での特定領域の移動であった場合である。このような場合においても、撮影後に画面中央を拡大して表示する場合と同様に、ユーザーがフォーカス状態の確認を所望する領域以外の領域が拡大されてしまうという不都合がある。
【課題を解決するための手段】
【０００６】
本願開示の技術思想は、上記課題を解決するもので、本露光操作において撮像された画像を記憶媒体に記憶する撮像装置において、撮像画像の複数のＡＦ領域において焦点状態を検出し、少なくとも１のＡＦ領域において焦点が合うよう制御する焦点調節手段と、撮像された画像を表示するよう制御する表示制御手段と、ユーザーが操作可能な操作手段とを有し、前記表示制御手段は、前記本露光後、撮像画像に対応する第１の画像のほか、当該撮像画像において前記複数のＡＦ領域のうち焦点が合うよう制御されたＡＦ領域に対応する第２の画像を所定領域に表示するよう制御するとともに、当該第１の画像および第２の画像が表示されている状態での前記操作手段の操作に応じて、前記所定領域に表示する画像を検出された顔の位置の画像に切り換えるよう制御する。
【発明の効果】
【０００７】
本発明によれば、撮影後に表示する際、ユーザーがフォーカス状態の確認を所望する領域の画像を適切に選択して表示するようにすることができる。
【図面の簡単な説明】
【０００８】
【図１】本実施の形態における電子カメラのブロック図。
【図２】本実施の形態における電子カメラの基本的な動作を示すフローチャートである。
【図３】図２における撮影処理を示すフローチャートである。
【図４】図３における本露光用ＡＦ処理を示すフローチャートである。
【図５】ＡＦ領域のインデックスを示す図である。
【図６】ＡＦフレーム表示を示す図である。
【図７】図３における本露光処理を示すフローチャートである。
【図８】画像表示方法を示す図である。
【図９】図７における表示変更処理を示すフローチャートである。
【図１０】非合焦時の画像表示方法を示す図である。
【図１１】第２画像データの中心点の表示を示す図である。
【図１２】撮影画像の表示における従来の課題を説明する図である。
【図１３】ワークメモリ１２６上に記憶されるＡＦ評価値の撮影画像に対する概念図である。
【発明を実施するための形態】
【０００９】
以下、図面を参照しながら本願発明に好適な実施の形態について説明する。
【実施例】
【００１０】
（第１の実施例）
図１は撮像装置のブロック図である。１０１は後述する撮像素子上に焦点を合わせるためのフォーカスレンズ、１０２はフォーカスレンズ１０１の初期位置を検出するフォトインタラプタ、１０３はフォーカスレンズ１０１を駆動するモータである。１０４はモータ１０３に駆動信号を入力してフォーカスレンズ１０１を動かすフォーカスレンズ駆動回路である。１０５は絞り及びシャッタなどの光量制御部材、１０６は絞り・シャッタ１０５を駆動するモータである。１０７はモータ１０６に駆動信号を入力して絞り・シャッタ１０５を動かす絞り・シャッタ駆動回路、１０８は撮影レンズの焦点距離を変更するズームレンズである。１０９はズームレンズ１０８の初期位置を検出するフォトインタラプタである。１１０はズームレンズ１０８を駆動するモータ、１１１はモータ１１０に駆動信号を入力してズームレンズ１０８を動かすズームレンズ駆動回路である。１１２は被写体からの反射光を電気信号に変換する撮像素子である。１１３は撮像素子１１２から出力されるアナログ信号をデジタル信号に変換するＡ／Ｄ変換器である。１１４は撮像素子１１２やＡ／Ｄ変換器１１３を動作させるために必要なタイミング信号を発生するタイミング信号発生回路（以降ＴＧとする）である。１１５はＡ／Ｄ変換器１１３から入力された画像データに所定の処理を施す画像処理プロセッサである。１１６は画像処理プロセッサ１１５で処理された画像データを一時的に記憶するバッファメモリである。１１７は後述する記録媒体との接続のためのインターフェース、１１８はメモリカードやハードディスクなどの記録媒体である。１１９は撮影シーケンスなどシステムを制御するためのマイクロコントローラ（以下ＣＰＵとする）である。１２０はズーム動作の開始および停止を指示する信号をＣＰＵに入力するズームＳＷである。１２１はＡＦやＡＥ等の撮影準備を指示するためのスイッチ（以下ＳＷ１とする）である。１２２は撮影準備指示スイッチ１２１の操作後、本露光及び記録動作等の撮影処理を指示するための撮影処理指示スイッチ（以下ＳＷ２とする）である。１２３はシステムに電源を投入するためのメインスイッチである。１２４はカメラの動作モードを設定するモードスイッチ、１２５はＣＰＵ１１９で実行されるプログラムが記憶されているプログラムメモリである。１２６はＣＰＵ１１９がプログラムメモリ１２５に記憶されているプログラムに従って処理を行う際に必要な各種データを書き込み及び読み出しするワークメモリである。１２７はカメラの動作状態や各種警告表示を行う操作表示部である。１２８は画像を表示するモニター（以下、背面モニターともいう。）、１２９は各種設定を行う設定スイッチである。１３０は操作表示部１２７や背面モニター１２８に表示されたメニュー項目の選択や画像の表示方向の移動指示等に使用する十字スイッチである。１３１は背面モニター１２８に表示される画像の表示形態の変更を指示する表示切替スイッチである。１３２は高精細な画像の表示部分の切替を指示する表示部分切替スイッチ、１３３は高精細な画像の表示部分を移動可能なモードへの遷移を指示する表示部分移動モードスイッチである。
【００１１】
次に図２のフローチャートを使って電子カメラの制御処理について説明する。なお、特に明示しない限り当該フローチャートの動作処理は、システム制御ＣＰＵ１１９の制御に基づく。
【００１２】
まずステップＳ２０１では撮影準備を指示するスイッチ１２１（ＳＷ１）の状態を判定し、ＯＮならばステップＳ２０５へ、そうでなければステップＳ２０２へ進む。ステップＳ２０２では絞りやシャッタ１０５を制御して背面モニター１２８に表示される画像や記録される画像の明るさが適正になるようＡＥ（自動露出制御）動作を行う。ステップＳ２０３では光源の色温度によらず背面モニター１２８に表示される画像や記録される画像が適切な色バランスになるようＡＷＢ（オートホワイトバランス制御）動作を行う。ステップＳ２０４では撮像素子１１２から読み出した画像信号に所定の処理を施して背面モニター１２８へ表示する。ステップＳ２０５では後述する手順に従って撮影処理を行う。
【００１３】
図３は図２におけるステップＳ２０５の撮影処理を説明するフローチャートである。ステップＳ３０１では本露光用のＡＥ動作を行う。ステップＳ３０２では後述する手順に従って本露光用ＡＦ動作を行う。ステップＳ３０３では後述する手順にしたがって本露光及び記録を行う。
【００１４】
図４は図３のステップＳ３０２における本露光用のＡＦ動作を説明するフローチャートである。まずステップＳ４０１ではフォーカスレンズ１０１をスキャン開始位置へ移動する。このスキャン開始位置は、例えば合焦可能領域の無限端とする。ステップＳ４０２では、ＡＦ評価値を取得する。これは、まず撮像素子１１２から読み出されたアナログ映像信号をＡ／Ｄ変換器１１３を使ってデジタル信号に変換する。そのＡ／Ｄ変換器１１３からの出力から画像処理プロセッサ１１５において輝度信号の高周波成分を抽出し、これをＡＦ評価値としてワークメモリ１２６に記憶する。これを概念上示すのが図１２である。この際図１２のように撮影画像１２００中ＡＦ評価値を算出する領域１２０１が９個設定されている場合には９個の領域それぞれについてのＡＦ評価値を記憶する。なお、ＡＦ評価値を算出する領域は、ユーザーに視認できるようその領域の枠がＡＦフレームとして背面モニター１２８に被写体画像に重畳されて表示することができる。なお、以下の説明では、ＡＦフレームに対応する撮影画像の領域をＡＦ領域という。
【００１５】
ステップＳ４０３ではフォーカスレンズ１０１の現在位置を取得しワークメモリ１２６に記憶する。フォーカスレンズ駆動モータ１０３にステッピングモータを使用する場合は、フォトインタラプタ１０２によって検出される初期位置からの相対駆動パルス数をもってフォーカスレンズ１０１の位置とする。また図示しないロータリーエンコーダ等を用いて絶対位置を測定しても良い。ステップＳ４０４ではフォーカスレンズ１０１の現在位置がスキャン終了位置と等しいか調べる。等しければステップＳ４０６へ、そうでなければステップＳ４０５へ進む。このスキャン終了位置は例えば合焦可能領域の至近端とする。ステップＳ４０５ではフォーカスレンズ１０１をスキャン終了方向へ向かって所定量移動する。
【００１６】
ステップＳ４０６ではＡＦ領域のインデックスを０としてワークメモリ１２６に記憶する。このＡＦ領域のインデックスとは図１２のように９個のＡＦ領域が設定されている場合、各々のＡＦ領域の識別に用いるものである。以下で説明する処理に置いて、図５のように左上の枠から順番に０、１、２、・・・といったように番号を与え、ＡＦ領域のインデックスに対応した番号の測距枠について処理を行うものとする。
【００１７】
ステップＳ４０７ではステップＳ４０２で取得したＡＦ評価値の中から最大のものを選択する。ステップＳ４０８ではステップＳ４０７で選択したＡＦ評価値を取得したタイミングにおけるフォーカスレンズ１０１の位置（以下、これをピーク位置と呼ぶ）をワークメモリ１２６に記憶する。ステップＳ４０９ではＡＦ領域インデックスに１を加える。ステップＳ４１０ではＡＦ領域のインデックスが予め決められた所定値と等しいかどうか調べる。等しければステップＳ４１１へ、そうでなければステップＳ４０７へ進む。ここでは、図５のように９個のＡＦ領域が設定されている場合について説明するので、所定値は９とする。
【００１８】
ステップＳ４１１ではステップＳ４０８で記憶した各ＡＦ領域におけるピーク位置の中から最至近の位置を選出する。このとき、最至近位置を示すＡＦ領域（以下、これをピークＡＦ領域と呼ぶ）のインデックスをワークメモリ１２６に記憶する。ステップＳ４１２ではステップＳ４１１で選出したピークＡＦ領域のピーク位置に対して、所定範囲内のピーク位置を持つＡＦ領域（以下、これを有効ＡＦ領域と呼ぶ）を選出しワークメモリ１２６に記憶する。ステップＳ４１３ではステップＳ４１２で選出したＡＦ領域に対応するＡＦフレームを合焦枠として背面モニター１２８上に被写体像と重畳表示する。なおここで表示するＡＦフレームには、ステップＳ４１１で選出したピークＡＦ領域に対応するＡＦフレームも含まれる。ステップＳ４１４ではステップＳ４１１で選出されたピークＡＦ領域に対応するピーク位置へフォーカスレンズ１０１を移動する。
【００１９】
次にステップＳ４１３において説明した、ＡＦフレーム表示について説明する。ステップＳ４１１において選出されたピークＡＦ領域が図５におけるインデックス１であり、ステップＳ４１２で選出された有効ＡＦ領域がインデックス０、４、８であったとする。ステップＳ４１３で表示するＡＦフレームは図６の様になる。つまりインデックス０、１、４、８の４つのＡＦ領域に対応するＡＦフレームを背面モニター１２８上に被写体像と重畳させて表示する。なお、図６では説明のためにインデックスの番号を記載しているが、実際にはこの番号は背面モニター１２８上に表示しない。
【００２０】
図７は図３のステップＳ３０３における本露光処理を説明するフローチャートである。まずステップＳ７０１では撮像素子１１２への露光を行う。ステップＳ７０２では撮像素子１１２に蓄積されたデータを読み出す。ステップＳ７０３ではＡ／Ｄ変換器１１３を使って撮像素子１１２から読み出したアナログ信号をデジタル信号に変換する。
【００２１】
ステップＳ７０４では画像処理プロセッサ１１５を使ってＡ／Ｄ変換器１１３から出力されるデジタル信号に画像処理を施し、第１の解像度を有する画像データ（以下、これを第１画像データと呼ぶ）を生成しバッファメモリ１１６に記憶する。この第１画像データの解像度は、データを間引いて処理することにより背面モニター１２８に表示可能な最大画素数、例えば１０〜２０万画素よりも少ない画素数となるように圧縮縮小処理されているものとする。ステップＳ７０５では画像処理プロセッサ１１５を使ってＡ／Ｄ変換器１１３から出力されるデジタル信号に画像処理を施し、第２の解像度を有する画像データ（以下、これを第２画像データと呼ぶ）を生成しバッファメモリ１１６に記憶する。この場合第２画像データの解像度は、撮像素子１１２から読み出した後、ワークメモリ１２６に蓄積されているデータを圧縮縮小処理しない。したがって、撮像素子１１２の有効画素数相当の解像度となるように設定されているものとする。つまり、第２画像データは、ステップＳ７０４で説明した第１画像データよりも、第１画像データの中から第２画像データに対応する領域の画像データとを比べた場合には、高精細な画像データとなる。
【００２２】
ステップＳ７０６ではステップＳ７０４及びステップＳ７０５で生成した画像をバッファメモリ１１６から読み出して背面モニター１２８に表示する。このときの表示の方法については後述する。ステップＳ７０７ではステップＳ７０５で処理した画像データをＪＰＥＧなどの規格に合わせて圧縮処理する。ステップＳ７０８ではステップＳ７０７で圧縮処理が施されたデータが記録媒体インターフェース１１７を介して電子カメラ本体に装着されたメモリカードなどの記録媒体１１８へ記録される。ステップＳ７０９では後述する手段に従って、背面モニター１２８への画像表示の変更を行う。
【００２３】
次にステップＳ７０６における画像の表示方法について説明する。図８はステップＳ７０６における画像の表示方法を説明する図である。８００は、背面モニター１２８の表示画面である。８０１は第１画像データを表示する領域で、８１２は第２画像データを表示する領域である。８０２は、ピークＡＦ領域に対応するＡＦフレームで、８０３は、有効ＡＦ領域に対応するＡＦフレームである。また、８２０は、領域８１２に表示する画像を切り換える操作をガイダンスする表示部分切替操作ガイダンスである。８２１は、領域８１２に表示する画像を切り換えるモードへの移行操作をガイダンスする表示部分移動モード移行操作ガイダンスである。
【００２４】
この図の様に第１画像データと第２画像データを同時に背面モニター１２８に表示する。ここで第１画像データの解像度は図７のステップＳ７０４での処理において説明したように、少なくとも背面モニター１２８に表示可能な最大画素数よりも少ない画素数となるように設定されている。よって第１画像データを背面モニター１２８に表示すると、第１画像データ全体が表示されるようになる。
【００２５】
一方、第２画像データは図７のステップＳ７０５での処理において説明したように、撮像素子１１２から読み出したデータに対して圧縮縮小処理をしない、撮像素子１１２の有効画素数相当の解像度となるように設定されている。一般に撮像素子の有効画素数は２００〜１０００万画素が主流で、背面モニターに使用されるＬＣＤ（液晶ディスプレイ）などの表示装置の表示可能最大画素数を大きく上回る。従って、第２画像データの画素数は２００〜１０００万画素であって、背面モニター１２８に表示可能な最大画素数の１０〜２０万画素を大きく上回る。したがって、背面モニター１２８に第２画像データ全体を表示することは当然にできない。そこで第２画像データの一部分を背面モニター１２８に表示する。このとき背面モニター１２８に表示する部分は、図４のステップＳ４１１においてワークメモリ１２６に記憶したピークＡＦ領域に相当する部分とする。
【００２６】
ここで、図６を使った説明と同様に、図４のステップＳ４１１において選出されたピークＡＦ領域が図５におけるインデックス１であり、ステップＳ４１２で選出された有効ＡＦ領域がインデックス０、４、８であったとする。この場合、背面モニター１２８に表示する第１画像データに、インデックス０、１、４、８のＡＦ領域に対応するＡＦフレームを重ねて表示する。同時に、第２画像データの中からピークＡＦ領域であるインデックス１のＡＦ領域に相当するＡＦフレームを表示する。重畳表示するＡＦフレームに相当するインデックス（この場合はインデックス１）のＡＦ領域をワークメモリ１２６に記憶する。ここで、図８ではインデックス１のＡＦ領域に人の顔の部分が位置している。従って、第２画像データの中からインデックス１のＡＦ領域である顔の部分を背面モニター１２８に表示する。
【００２７】
次に図７のステップＳ７０９における、画像の表示変更の方法について説明する。図９は図７のステップＳ７０９における表示変更処理を説明するフローチャートである。まずステップＳ９０１では表示部分切替スイッチ１３２の状態を判定し、ＯＮであればステップＳ９０２へ進む。一方、ステップＳ９０１において表示部分切替スイッチ１３２がＯＮでなければステップＳ９０３へ進む。ステップＳ９０２では図８を使って説明した、背面モニター１２８に表示する第２画像データの表示部分を切り替える。この切り替え方を、図８での説明と同様にピークＡＦ領域がインデックス１であり、有効ＡＦ領域がインデックス０、４、８のＡＦ領域である場合について説明する。
【００２８】
今、第２画像データとしてインデックス１のＡＦ領域に対応する部分が表示されているとする。現在表示されているインデックス番号は、ワークメモリ１２６から読み出すことによって知ることができる。この際、表示部分切替スイッチ１３２がＯＮになると、有効ＡＦ領域の中から、現在表示しているインデックスの次に大きいインデックス番号を持つ有効ＡＦ領域を選択しワークメモリ１２６に記憶する。
【００２９】
図８の場合は有効ＡＦ領域の中からインデックス４の領域が選択され、対応するＡＦフレームが表示される。こうして第２画像データの中から、選択されたインデックス４のＡＦ領域の位置に相当する部分を今まで表示されていたインデックス１のＡＦ領域の位置に相当する部分に替わって背面モニター１２８の領域８１２に表示する。このようにして表示部分切替スイッチ１３２がＯＮになる度に、表示を切り替える。
【００３０】
なお、有効ＡＦ領域の中で最大のインデックス番号を持つＡＦ領域の位置に相当する部分が表示されているときに表示部分切替スイッチ１３２がＯＮになったら、最小のインデックス番号を持つ有効ＡＦ領域を選択する。
【００３１】
なお前述の説明において、被写体の中から顔を検出する機能を有しているカメラにおいては、表示部分を有効ＡＦ領域の位置に切り替える代わりに、検出された顔の位置に切り替えるように構成してもよい。このようにすれば、検出された顔について、それぞれ合焦状態を次々に確認することができる。
【００３２】
また、図８の様に背面モニター１２８の画面中に表示部分切替操作ガイダンス８２０を表示しても良い。これにより、表示部分切替スイッチ１３２を操作する際、第２画像データの表示部分の切り替えが可能であることが操作者に分かりやすくなる効果がある。この表示部分切り替えの操作ガイダンスは、第１画像データと第２画像データの両方に重ならない位置に表示する。
【００３３】
ステップＳ９０３では、表示部分移動モードスイッチ１３３の状態を判定し、ＯＮであればステップＳ９０４へ、そうでなければステップＳ９０６へ進む。ステップＳ９０４では十字スイッチ１３０の状態を判定し、ＯＮであればステップＳ９０５へ、そうでなければステップＳ９０６へ進む。ステップＳ９０５ではステップＳ９０４で操作された十字スイッチ１３０の方向に応じて、背面モニター１２８に表示する第２画像データの表示部分を移動する。
【００３４】
今、第２画像データとして、背面モニター１２８にインデックス１に相当する部分が表示されているとする。この場合は図８の様に顔の部分が第２画像データとして背面モニター１２８に表示される。次に十字スイッチ１３０の下方向のスイッチがＯＮになったとすると、第２画像データとして顔の下の部分、すなわち首から胴体へと表示部分を移動していく。
【００３５】
また、表示部分移動モードスイッチ１３３を操作することによって第２画像データの表示部分の移動が可能になることが操作者に分かりやすいように、図８の様にＥＶＦ画面中に表示部分移動モード移行操作ガイダンスを表示しても良い。この表示部分移動モード移行操作ガイダンス８２１は、第１画像データと第２画像データ、及び表示部分切替操作ガイダンス８２０に重ならない位置に表示する。
【００３６】
ステップＳ９０６では、撮影準備を指示するＳＷ１の状態を判定し、ＯＮでなければＳ９０１に進み、ＯＮであれば本処理を終了する。
【００３７】
このようにして、より高精細な画像の中から背面モニター１２８に表示するＡＦフレームを、合焦したピークＡＦ領域に対応して選択することによって、合焦した被写体のフォーカスの状態を容易に確認することができる。本露光前にＡＦ処理が行われピークＡＦ領域が自動で選択される場合は、当該ピークＡＦ領域近辺についてユーザーがフォーカス状態を確認したい場合が多いからである。つまり、撮影後に表示する際、ユーザーがフォーカス状態の確認を所望する領域の画像を適切に表示するようにすることができる。また、スイッチ操作によって高精細な画像の表示部分を切り替えたり移動したりすることによって、他の合焦点や合焦した被写体の周辺のフォーカスの状態も容易に確認することができる。
【００３８】
（第２の実施例）
前述の説明では、合焦した測距枠に対応して高精細な画像の表示部分を選択するようにしたが、ＡＦ処理の結果が非合焦であった場合の処理について以下に説明する。
【００３９】
図１０は第１の実施例の図７のステップＳ７０６の画像表示方法において、ＡＦ処理の結果が非合焦であった場合の表示方法を説明する図である。１０００は、背面モニター１２８の表示画面である。１００１は第１画像データを表示する領域で、１０１２は第２画像データを表示する領域である。この場合も第１の実施形態で説明した図８と同様に、第１画像データと第２画像データを背面モニター１２８に表示する。また第１画像データと第２画像データの解像度はそれぞれ第１の実施形態において説明したときと同様に設定されているものとする。
【００４０】
ＡＦ処理の結果が非合焦であった場合は、第２画像データの予め決められた領域、ここでは中央領域を背面モニター１２８の表示画面１０００の領域１０１２に表示する。この理由は、主被写体を画面中央に位置するようにして撮影する場合が多いので、非合焦の場合であっても主被写体のフォーカスの状態を確認できるようにするためである。
【００４１】
このとき領域１０１２に表示する部分は、図１０の第１画像データ中の点線で表示されるフレーム１０１０の内に対応する部分とする。なお、図１０では説明のために第１画像データ中に点線のフレームを記載しているのであって、実際にはこの枠は背面モニター１２８上には表示されない。これは、自動でＡＦフレームを選択した場合は合焦したフレームを表示するためだからである。また、非合焦であるのでいずれのＡＦフレームも表示されない。
【００４２】
この状態からは第１の実施形態の図９のステップＳ９０２で説明した、表示部分の切替は禁止するものとする。この理由は非合焦であるので、移動すべきＡＦフレームが存在しないためである。一方、ステップＳ９０５で説明した領域１０１２に表示する画像、すなわち、領域１００１に表示される画像のうち領域１０１２に表示する表示部分の移動は許可するものとする。表示部分の移動であれば、ピークＡＦ領域や有効ＡＦ領域がなくても構わないからである。
【００４３】
このようにしてＡＦ処理の結果が非合焦であった場合には、第２画像データの予め決められている領域を背面モニター１２８に表示することによって、主被写体のフォーカスを容易に確認することができる。
【００４４】
（第３の実施例）
前述の説明では背面モニター１２８に表示する第１画像データ上に、インデックス０、１、４、８の位置に対応するＡＦフレームを重ねて表示する様に構成した。ここで説明する第３の実施例は、これに加えて現在第２画像データとして表示している部分を示す指標を背面モニター１２８上の被写体に重畳させて表示するものである。
【００４５】
図１１は図７のステップＳ７０６における画像の表示方法を説明する図である。１１００は、背面モニター１２８の表示画面である。１１０１は第１画像データを表示する領域で、１１１２は第２画像データを表示する領域である。１１０２は、ピークＡＦ領域に対応するＡＦフレームで、１１０３は、有効ＡＦ領域に対応するＡＦフレームである。また、１１２２はＡＦフレームの中心に表示可能な十字の形をした指標である。
【００４６】
今、第１の実施形態の図８で説明したように、第２画像データを表示する領域１１１２に表示する領域としてインデックス１に相当するＡＦ領域が選択されているとする。この場合図１１の様に第１画像データ中のインデックス１のＡＦ領域に対応するＡＦフレームの中心点に十字記号を被写体像に重畳表示する。このように第２の画像データとして表示している部分を示す指標を領域１１０２に表示される画像上に表示することで、ユーザーは現在どの領域が領域１１１２に表示されているのか分かり易くすることができる。
【００４７】
そして、図９で説明した表示変更処理にしたがって、当該指標１１２２も有効ＡＦ領域、あるいは移動した表示領域が背面モニター１２８の領域１１１２に表示されるのに合わせて移動する。これにより移動後においても、ユーザーは現在どの領域が領域１１１２に表示されているのか分かり易くすることができる。
【００４８】
なお、上記第３の実施例では、指標１１２２として十字の形状を示したが、これに限るものではない。例えば、表示されるＡＦフレームと相似形のフレームで指標１１２２を被写体像に重畳表示しても構わない。この際、当該フレームが、ＡＦフレームと区別し易いようにＡＦフレームとは異なる色、例えばＡＦフレームが緑の場合には白色とすること、またＡＦフレームを実線、指標１１２２を点線とすることで、よりユーザーによる視認性が高まる。
【００４９】
なお、上記第１〜３の実施例では、背面モニター１２８において表示する際の説明を行った。この点、例えば、ＰＣのディスプレイやテレビなどにおいて表示する場合においても、撮影画像の記録画素に対して撮影画像の全体像を表示する際の表示画素が少ない場合には、同様の効果を得ることができる。
【００５０】
また、上記第１〜３の実施例では、例えば図８に示す領域８０１と８１２とを一部重ねて表示した。これにより背面モニター１２８の画像表示領域を有効に利用することができる。この点、それぞれの領域を分離独立させて表示させてもよい。これによれば、撮影した画像の画角全体を一部削ることなく適確に視認することができる。これは、第２の実施例、第３の実施例においても同様である。
【００５１】
さらに、上記第１〜３の実施例では、撮像画像の高周波成分からＡＦ評価値を算出して当該ＡＦ評価値に基づいて焦点調節を行う制御を説明した。この点、いわゆる２像間の位相差を検出して焦点調節を行う制御においても、撮影画像の複数領域において焦点調節を行う場合には、同様の効果を有することができる。
【符号の説明】
【００５２】
１０１  フォーカスレンズ
１０２  フォトインタラプタ
１０３  フォーカスレンズ駆動回路
１０５  光量制御部材
１０６  絞り・シャッタ１０５の駆動モータ
１０７  絞り・シャッタ駆動回路
１０８  ズームレンズ
１０９  フォトインタラプタ
１１０  ズームレンズ駆動モータ
１１１  ズームレンズ駆動回路
１１２  撮像素子
１１３  Ａ／Ｄ変換器
１１４  タイミング信号発生回路（ＴＧ）
１１５  画像処理プロセッサ
１１６  バッファメモリ
１１７  インターフェース
１１８  記録媒体
１１９  マイクロコントローラ（ＣＰＵ）
１２０  ズームＳＷ
１２１  撮影準備指示スイッチＳＷ１
１２２  撮影処理指示スイッチＳＷ２
１２３  メインスイッチ
１２４  モードスイッチ
１２５  プログラムメモリ
１２６  ワークメモリ
１２７  操作表示部
１２８  背面モニター
１２９  設定スイッチ
１３０  十字スイッチ
１３１  表示切替スイッチ
１３２  表示部分切替スイッチ
１３３  表示部分移動モードスイッチ
【図１】
0005225477.tif 000002
【図２】
0005225477.tif 000003
【図３】
0005225477.tif 000004
【図４】
0005225477.tif 000005
【図５】
0005225477.tif 000006
【図６】
0005225477.tif 000007
【図７】
0005225477.tif 000008
【図８】
0005225477.tif 000009
【図９】
0005225477.tif 000010
【図１０】
0005225477.tif 000011
【図１１】
0005225477.tif 000012
【図１２】
0005225477.tif 000013
【図１３】
0005225477.tif 000014